(57)【要約】【課題】簡単な構成で、各種被支持体の表面の状態などに関わらず、被支持体による荷重が各滑り支承にかかるよう精度良く容易に設置することができ、所要の免震性能を確実に得ることができる免震装置を提供する．。【解決手段】免震装置は、一対の免震ユニットＵ１、Ｕ２により構成されてなり、それぞれ、支持体Ａと被支持体Ｂとの水平方向の相対移動を許容する一対の滑り支承手段２と、支持体Ａと被支持体Ｂとの水平方向の相対移動を許容するように被支持体Ｂを支承する複数の滑り支承手段２と、支持体Ａと被支持体Ｂとの水平方向の相対移動を減衰させる減衰手段３と、支持体Ａ上に設置される滑座５と、被支持体Ｂを支持する支持座６とを備えており、一方の免震ユニットＵ１は、被支持体Ｂによる荷重が各滑り支承手段２にかかるようにそのレベルを他方の免震ユニットＵ２と同じ高さに調整するレベル調整機構１を備えている。【選択図】    図１
2004293699.tif 000002
【特許請求の範囲】
【請求項１】
支持体上に設置されて被支持体を支持する免震装置であって、
一対の免震ユニットにより構成され、
各免震ユニットは、支持体と被支持体との水平方向の相対移動を許容するように被支持体を支承する複数の滑り支承手段と、支持体と被支持体との水平方向の相対移動を減衰させる減衰手段と、を備えており、
一方の免震ユニットは、被支持体による荷重が前記各滑り支承にかかるようにレベルを調整するレベル調整機構を備えたことを特徴とする免震装置。
【請求項２】
レベル調整機構が、
垂直方向に伸縮可能な複数の容器と、
複数の容器を連通する連通路と、
容器および連通路に封入された流体と、
を備えてなることを特徴とする請求項１に記載の免震装置。
【請求項３】
滑り支承手段が、滑面に対して相対的に摺動する滑材を備えてなり、さらに、滑材の摩耗を検出する摩耗検出手段を備えてなることを特徴とする請求項１または２に記載の免震装置。
【請求項４】
複数の突起を有し、支持体との間に介在されるパッドを備えたことを特徴とする請求項１〜３のいずれかに記載の免震装置。
【請求項５】
複数の被支持体に応じてそれぞれ形成された専用部と、
各専用部を共通で支持することができる共通部と、
を備えたことを特徴とする請求項１〜４のいずれかに記載の免震装置。
【請求項６】
被支持体を支持するときに所定の位置に位置決めする位置決め機構を備えたことを特徴とする請求項１〜５のいずれかに記載の免震装置。
【発明の詳細な説明】
【０００１】
【発明の属する技術分野】
本発明は、免震装置に関し、さらに詳しくは、支持体上に設置されて被支持体を支持する免震装置に関するものである。
【０００２】
【従来の技術】
免震装置に関する従来の技術としては、例えば、特許文献１が知られている。この特許文献１には、被支持体と支持体の一方側に設置可能で平坦な滑面が設けられた滑座と、被支持体と支持体の他方側に設置可能で滑座の滑面を摺動する滑材と、滑座と滑材との間に滑座の滑面に対して非接触状態で張設されて滑座の滑面を覆うとともに被支持体と支持体の相対的変位に応じた復元力を発揮する弾性を有した防塵カバーと、を備えた免震ユニットが開示されている。
【０００３】
【特許文献１】
特開２００２−１７４２９３号公報
【０００４】
【発明が解決しようとする課題】
ところで、プレス金型の形状は成形する製品に応じて多種多様に形成される。このプレス金型のように多種多様の形状の被支持体を免震装置に支持させようとすると、各被支持体の支持面の形状に応じて免震装置の支持座を設計し形成しなければならならずコストや手間がかかるという問題があった。
また、複数の免震ユニットによって被支持体を支持する場合には、所要の免震性能を得るために、各免震ユニットの滑座と滑材とがそれぞれ均一に荷重を受けるように、精度良く形成しなければならない。
さらに、所要の免震性能を得るためには、各免震ユニットを設置する支持体の設置場所や状態などに関わらず滑座と滑材との間にそれぞれ被支持体による荷重が均等にかかるよう精度良く設置する必要がある。そして、被支持体がプレス金型である場合、特に２段以上に積まれて使用される場合（図１などを参照）、プレス金型の接触面の摩擦係数が一般に低いことから、かかるプレス金型の荷重が各滑座と滑材との間にそれぞれかかるようになっていないと免震装置から落下することとなるため、被支持体による荷重を各滑座と滑材との間にかかるよう各免震ユニットを精度良く設置する必要がある。また、プレス金型は、段替え時などのときに、その形状が異なることにより、免震ユニットを支持体に対して配置変更する必要がある場合がある。この場合にも、免震ユニットを段替えの都度精度良く設置する必要がある。
さらにまた、滑座の滑面を摺動する滑材の摩耗が進行すると、摩擦抵抗（係数）が増大して所要の免震性能を得ることができないという問題が発生するため、かかる摩耗を監視する必要があり手間がかかり、免震性能を維持することが困難であるという問題があった。
これらのことから、プレス金型のような被支持体を支持するために免震装置を採用することは、従来の技術では困難であった。
【０００５】
本発明は、上述した問題に鑑みてなされたもので、簡単な構成で、各種被支持体の支持面の形状や、支持体の設置場所、その表面の状態などに関わらず、被支持体による荷重が各滑り支承にかかるよう精度良く容易に設置することができ、所要の免震性能を確実に得ることができる免震装置を提供することを目的とする。
また、本発明は、上述した問題に鑑みてなされたもので、異なる形状の被支持体を手間やコストをかけることなく容易に支持することができる免震装置を提供することを目的とする。
さらに、本発明は、上述した問題に鑑みてなされたもので、異なる形状の被支持体を支持することができる免震装置を安価に提供することを目的とする。
【０００６】
【課題を解決するための手段】
請求項１に係る発明は、上記目的を達成するため、支持体上に設置されて被支持体を支持する免震装置であって、一対の免震ユニットにより構成され、各免震ユニットは、支持体と被支持体との水平方向の相対移動を許容するように被支持体を支承する複数の滑り支承手段と、支持体と被支持体との水平方向の相対移動を減衰させる減衰手段と、を備えており、一方の免震ユニットは、被支持体による荷重が前記各滑り支承にかかるようにレベルを調整するレベル調整機構を備えたことを特徴とするものである。
請求項２に係る発明は、上記目的を達成するため、請求項１に記載の発明において、レベル調整機構が、垂直方向に伸縮可能な複数の容器と、複数の容器を連通する連通路と、容器および連通路に封入された流体と、を備えてなることを特徴とするものである。
請求項３に係る発明は、上記目的を達成するため、請求項１または２に記載の発明において、滑り支承手段が、滑面に対して相対的に摺動する滑材を備えてなり、さらに、滑材の摩耗を検出する摩耗検出手段を備えてなることを特徴とするものである。
請求項４に係る発明は、上記目的を達成するため、請求項１〜３のいずれかに記載の発明において、複数の突起を有し、支持体との間に介在されるパッドを備えたことを特徴とするものである。
請求項５に係る発明は、上記目的を達成するため、請求項１〜４のいずれかに記載の発明において、複数の被支持体に応じてそれぞれ形成された専用部と、各専用部を共通で支持することができる共通部と、を備えたことを特徴とするものである。
請求項６に係る発明は、上記目的を達成するため、請求項１〜５のいずれかに記載の発明において、被支持体を支持するときに所定の位置に位置決めする位置決め機構を備えたことを特徴とするものである。
【０００７】
請求項１の発明では、支持体上に設置されて被支持体を支持したときに、被支持体の荷重をすべての滑り支承手段が受けるように、レベル調整機構によって一方の免震ユニットが他方の免震ユニット同じ姿勢となるように調整される。そのため、振動が加わったときに、各滑り支承手段が被支持体の荷重を受けた状態で、滑り支承手段によって支持体と被支持体とが水平方向に相対移動するのが許容されると共に、その水平方向の相対移動が減衰手段によって減衰されるため、所要の免震性能が確実に得られる。
請求項２の発明では、請求項１に記載の発明において、被支持体の姿勢に応じて一方の免震ユニットの容器が垂直方向に伸縮すると同時にその内部に封入された流体が連通路を介して他の容器との間で流通することにより、被支持体の荷重をすべての滑り支承手段が受けるように、一方の免震ユニットが他方の免震ユニット同じ姿勢となるように調整される。
請求項３の発明では、請求項１または２に記載の発明において、振動によって支持体と被支持体が水平方向に相対的に移動するときに、滑材が滑面に対して相対的に摺動することによって摩耗する。振動による水平方向の相対移動に支障がある程に滑り支承手段の滑材の摩耗が進行すると、そのことを摩耗検出手段が検出するため、滑材の交換などのメンテナンスが容易に行われる。
請求項４の発明では、請求項１〜３のいずれかに記載の発明において、免震装置はパッドを介して支持体上に設置される。パッドに形成された複数の突起は、すべての滑り支承手段に支持反力をもたせるように、支持体の表面の凹凸に応じて収縮し、両免震ユニットの姿勢を同様に保持する。なお、突起の形状、突出量（長さ）および間隔は、同様に形成することができ、また、それぞれ異なるように形成することもできる。
請求項５の発明では、請求項１〜４のいずれかに記載の発明において、各被支持体の支持面の形状に応じて専用部が形成されており、これらの専用部に共通で支持することができるように共通部が形成されている。段替えなどによって被支持体を交換するときには、専用部と共に被支持体を交換し、共通部によって被支持体と共に専用部を支持する。段替え時などにおいて、共通部を移動させる必要がないため、専用部と共に被支持体が容易に且つ適切に配置される。また、専用部のみを被支持体の形状に応じて形成するため、免震装置の製造コストが軽減される。
請求項６の発明では、請求項１〜５のいずれかに記載の発明において、被支持体を交換するなどして新たに支持するときに、位置決め機構によって被支持体が免震装置に対して所定の位置に位置決めされる。
【０００８】
【発明の実施の形態】
最初に、本発明の免震装置の第１の実施の形態を図１〜図７に基づいて詳細に説明する。なお、同一符号は、同様または相当する部分を示すものとする。
本発明の免震装置は、支持体Ａ上に設置されて被支持体Ｂを支持するもので、概略、この実施の形態の場合、一対の免震ユニットＵ１、Ｕ２により構成されてなり、各免震ユニットＵ１、Ｕ２が、それぞれ、支持体Ａと被支持体Ｂとの水平方向の相対移動を許容する一対の滑り支承手段２と、支持体Ａと被支持体Ｂとの水平方向の相対移動を許容するように被支持体Ｂを支承する複数の滑り支承手段２と、支持体Ａと被支持体Ｂとの水平方向の相対移動を減衰させる減衰手段３と、支持体Ａ上に設置される滑座５と、被支持体Ｂを支持する支持座６とを備えており、一方の免震ユニットＵ１は、被支持体Ｂによる荷重が各滑り支承手段２にかかるようにそのレベルを他方の免震ユニットＵ２と同じ高さに調整するレベル調整機構１を備えている。
また、本発明の免震装置は、レベル調整機構１が、垂直方向に伸縮可能な複数の容器１０と、複数の容器１０を連通する連通路１１と、容器１０および連通路１１に封入された流体１２と、を備えてなる。
さらに、本発明の免震装置は、滑り支承手段２が、滑座５の滑面２０に対して相対的に摺動する滑材２１と、滑材２１の摩耗を検出する摩耗検出手段（後述する）と、を備えてなる。
【０００９】
支持体Ａは、支持ベースや床面により構成されている。また、被支持体Ｂは、図１などに示した実施の形態の場合、二段積の金型Ｂ１，Ｂ２により構成されている。しかしながら、本発明の免震装置は、この実施の形態に限定されることなく、被支持体Ｂとして各種工作機など、他のものを支持することができる。そして、本発明の免震装置は、支持する被支持体Ｂの大きさや重量、あるいは使用目的などに応じて、レベル調整機構１の大きさ（容積、伸縮ストロークなど）や減衰手段３の減衰特性などを変更することができる。
【００１０】
各免震ユニットＵ１、Ｕ２は、支持体Ａ上にパッド５０を介して設けられる滑座５と、パッド６０を介して被支持体Ｂを支持する支持座６を有している。パッド５０および６０は、支持体Ａまたは被支持体Ｂに対して滑座５または支持座６が滑って移動するのを防止すると共に、支持体Ａまたは被支持体Ｂの表面の凹凸をある程度吸収するなどの機能を有するものである。
【００１１】
滑座５は、略矩形の平坦な板状に形成されてなるもので、たとえば、鋳物などにより形成された鉄材によって構成されている。滑座５の両端部の上面は平坦な円形の基礎面５ａが形成されており、この基礎面５ａには滑面２０が形成された滑面板２３が積層固着されている。滑面板２３は、たとえば、表面を平滑仕上げまたは鏡面仕上げしたステンレス板により構成されている。
【００１２】
一方、支持座６は、この実施の形態の場合、断面コ字状あるいはＣチャンネル状に形成されてなるもので、たとえば、滑座５と同様に、鋳物などにより形成された鉄材によって構成されている。免震ユニットＵ１の支持座６の両端部の下面には、レベル調整機構１の一対の容器１０が、滑面２０と対応するようにそれぞれ配設されている。容器１０は、この実施の形態の場合、垂直方向に伸縮することができるように、シリンダ１５とこれに嵌挿されたピストン１６により構成されている。両容器１０、１０には、そのシリンダ室１５ａを連通するように連通路１１が接続されており、両シリンダ室１５ａ、１５ａと連通路１１内に流体１２が充填・封入されている。流体１２は、非圧縮性のもので、例えば油、シリコン、水などを採用することができる。非圧縮性の流体１２は、免震装置が荷重を受けたときにそのときの両容器１０、１０のシリンダ室１５ａの容積を縮小させることなく（すなわち、容器１０が収縮することなく）被支持体Ｂを一定の高さに支持することができる。そのため、被支持体Ｂが金型である場合でも、支持反力を得ることができる。容器１０は、これらの流体１２が充填された状態で被支持体Ｂの荷重に耐え得るように構成された可撓性を有する変形可能な袋状のもの（図示は省略する）を採用することもできる。
【００１３】
この実施の形態では、免震ユニットＵ１の容器１０のピストン１６の先端が下方に向くように配置され、ピストン１６の先端には滑り支承本体１７が設けられており、この滑り支承本体１７の下面に滑材２１が設けられている。滑材２１は、滑面２０よりも小径に形成されてなるもので、その下面には滑面２０と接する滑板２４を有している（図３）。滑板２４は、略円環状に形成されてなるもので、滑面２０と接するその面には、複数の突起２５が形成されると共に、両者の間の摩擦係数が０．０５〜０．１２となるように、四フッ化エチレンのコーティング２６が施されている。そして、滑板２４の下面の突起２５は、図３に示すように、後述する理由から、一部分２５ａが他の部分に比べて長く突出して差ｄが生じるように形成されている。滑り支承本体１７と滑面２０との間には、可撓性、伸縮性などを有するゴムなどにより構成された防塵カバー２７が設けられている。
【００１４】
減衰手段３は、ゴムなどの弾性体を略円柱形状に形成してなるもので、その両端が滑座５と支持座６の略中央（すなわち、容器１０、１０の中間位置）にそれぞれボルト３０（図１３を参照）などによって容易に交換できるよう着脱可能に単一で取り付けられている。図６および図７に示すように、減衰手段３は、滑座５と支持座６が相対的に移動したときに弾性変形して、その移動を減衰させて元の相対位置に戻すよう機能する。なお、減衰手段３は、被支持体Ｂの重量などに応じて複数個を設けることもできる。
【００１５】
滑材２１の摩耗を検出する摩耗検出手段は、この実施の形態の場合、滑座５と支持座６にそれぞれ設けられた端子５１、６１と、この端子５１、６１に接続されて電流を印加する電源（図示は省略する）と、両端子５１、６１間に通電があるか否かを判定する判定手段（図示は省略する）とを備えてなる。上述の説明から明白であるように、滑座５と滑面板２３と、および、支持座６と容器１０と滑り支承本体１７と滑材２１と滑板２４が鉄材やステンレスなど、導電性を有する素材によって構成されている。また、図３に示したように、滑面板２３の滑面２０と接する滑材２１の滑板２４の表面には四フッ化エチレンのコーティング２６が施されている。この四フッ化エチレンのコーティング２６の厚さは、繰り返し加えられる衝撃荷重（被支持体Ｂが金型である場合）や、滑座５と支持座６との相対移動（すなわち、滑面２０と滑材２１との摺動）などによって摩耗して減少することとなる。そして、滑板２４の一部分の突起２４ａが滑面２０と接触すると、両端子５１、６１の間が導通状態となって摩耗検出手段の図示しない判定手段は四フッ化エチレンのコーティング２６の厚さが減少したことを、すなわち滑材２１の摩耗を検出する。
【００１６】
免震ユニットＵ２は、上述した免震ユニットＵ１と同様に、滑面２０が形成された滑面板２３が滑座５の基礎面５ａに積層固着されている。また、支持座６の両端部の下面には、上述した免震ユニットＵ１の容器１０に替えて、支持座６の高さが免震ユニットＵ１とほぼ同じ高さとなるように設定された滑り支承部材１３が設けられている。この滑り支承部材１３は、その下端面に滑り支承本体１７を介して滑材２１が設けられている。滑材２１の下面には滑面２０と接する滑板２４を有している。滑板２４の滑面２０と接するその面には、複数の突起２５が形成されると共に、四フッ化エチレンのコーティング２６が施されている。滑り支承本体１７と滑面２０との間には、防塵カバー２７が設けられている。
【００１７】
以上のように構成された実施の形態における免震装置では、設置されるときに最初に、被支持体Ｂを支持する場所に応じて各免震ユニットＵ１、Ｕ２を支持体Ａの所定の箇所に配置する。そして、金型などの被支持体Ｂを一般にクレーンなどによって水平に保った状態で吊って移動させて、両免震ユニットＵ１、Ｕ２上に載置し支持する。被支持体Ｂを載置される前においては、図４に示すように、免震ユニットＵ１の両容器１０Ａ、１０Ｂのシリンダ室１５ａのそれぞれの高さｈ３、ｈ４は同じ状態となっている。
【００１８】
ここで、支持体Ａの表面は、図４に示すように、免震装置を設置する場所によって免震ユニットＵ１とＵ２の上面が同じ高さでなく異なって傾斜している場合がある。すなわち、免震ユニットＵ１のレベルが水平に対して傾斜していると共に免震ユニットＵ２のレベルが水平である場合、水平に吊られた状態の被支持体Ｂの下面と免震ユニットＵ１の上面（支持座６）との間には、その一方端（図４では右方端）が接した状態で他方端（図４では左方端）に隙間δが生じ、両滑面板２１の滑面２０から被支持体Ｂの下面までのそれぞれの高さｈ１、ｈ２が異なる場合がある。しかしながら、かかる場合であっても、本発明の免震装置では、免震ユニットＵ１の支持座６の一方端が接することによって容器１０Ｂが収縮され、そのシリンダ室１５ａ内の流体１２が連通路１１を介して他方端側の容器１０Ａのシリンダ室１５ａに流入することにより容器１０Ａを伸長させる。そして、容器１０Ｂのシリンダ室１５ａの高さｈ３’がδ／２だけ収縮すると共に（ｈ３‐δ／２）、容器１０Ａのシリンダ室１５ａの高さｈ４’がδ／２だけ伸長した（ｈ４＋δ／２）時点で、すなわち、一方の滑面板２１の滑面２０から被支持体Ｂの下面までの高さｈ１’がδ／２だけ収縮すると共に（ｈ１‐δ／２）、他方の滑面板２１の滑面２０から被支持体Ｂの下面までの高さｈ２’がδ／２だけ伸長した（ｈ４＋δ／２）時点で、免震ユニットＵ１は、その上面が免震ユニットＵ２と同じ高さに自動的に調整された状態となって、被支持体Ｂを支持することとなる。
【００１９】
また、本発明の免震装置では、例えば地震などが発生した場合に、図６および図７に示すように、滑材２１の滑板２４の四フッ化エチレン２６のコーティングが滑座５の滑面２０に対して摺動して、免震装置の滑座５と支持座６とが、すなわち、支持体Ａと被支持体Ｂとが水平方向に相対移動するのを許容する。そして、免震装置の滑座５と支持座６との相対的な水平方向の移動は、減衰手段３の弾性変形により減衰されて元の相対位置に復元される。
【００２０】
次に、本発明の免震装置の別の実施の形態を、図８および図９に基づいて説明する。なお、この実施の形態の説明では、上述した実施の形態と同様または相当する部分については同じ符号を付してその説明を省略し、異なる部分についてのみ説明することとする。
本発明のこの実施の形態における免震装置は、概略、免震ユニットＵ１、Ｕ２の少なくとも一方の支持座５と支持体Ａとの間にパッド５０’が介装されており、このパッド５０’には複数の突起が形成されている。なお、この実施の形態では、免震ユニットＵ１と支持体Ａとの間にパッド５１’を介装する場合で説明する。
【００２１】
パッド５０’は、ゴムなどの弾性体からなるもので、この実施の形態の場合、突起５０ａ’が支持体Ａ’と接する面に設けられており、しかも、各突起５０ａ’の大きさを異ならせ、さらに各突起５０ａ’の突出量に差ｄを生じさせるように形成されている。このように構成されたパッド５０’では、支持体Ａ’の免震ユニットＵ１を配置する箇所が平坦でなく凹凸が生じている場合、その支持体Ａ’の凹凸に応じて各突起５０ａ’が座屈することなく収縮して免震ユニットＵ１を支持する。そのため、免震ユニットＵ１は、支持体Ａ’の凹凸に関係なく、被支持体Ｂを安定して支持することができる。また、このように構成されたパッド５０’では、被支持体Ｂを載置するときや、支持する被支持体Ｂが金型である場合にその金型Ｂを載置するときに受ける衝撃荷重を吸収・緩和させることができるため、免震装置の耐久性が向上する。
【００２２】
次に、本発明の免震装置のさらに別の実施の形態を、図１０に基づいて説明する。なお、この実施の形態の説明では、上述した実施の形態と同様または相当する部分については同じ符号を付してその説明を省略し、異なる部分についてのみ説明することとする。
本発明のこの実施の形態における免震装置は、概略、複数の被支持体Ｂに応じてそれぞれ形成された専用部Ｃと、各専用部Ｃを共通で支持することができる共通部Ｄと、を備えている。
【００２３】
この実施の形態における各免震ユニットＵ１、Ｕ２は、一対の滑座５Ａ、５Ｂを有している。滑座５Ａ、５Ｂは、通常の状態では重合されて図示しないボルトなどによって結合されており、必要に応じて分離することができるよう構成されている。
免震ユニットＵ１の下方の滑座５Ａの両端部の下面には、レベル調整機構１の容器１０が、それぞれ配設されている。容器１０は、この実施の形態の場合、垂直方向に伸縮することができるように、シリンダ１５とこれに嵌挿されたピストン１６により構成されている。両容器１０、１０には、そのシリンダ室１５ａを連通するように連通路１１が接続されており、両シリンダ室１５ａ、１５ａと連通路１１内に流体１２が充填・封入されている。この実施の形態における共通部Ｄは、下方の滑座５Ａと、容器１０および連通路１１などからなるレベル調整機構１と、により構成されている。容器１０は、シリンダ１５のピストン１６の先端面がそれぞれパッド５０を介して支持体Ａに当接されるように配設される。
【００２４】
一方、上方の滑座５Ｂの両端部の上面は、平坦な円形の基礎面５ａが形成されており、この基礎面には滑面２０が形成された滑面板２３が積層固着されている。また、支持座６の両端部の下面には滑り支承本体１７が滑面２０と対応するように設けられており、この滑り支承本体１７の下面に滑材２１が設けられている。滑材２１は、その下面に滑面２０と接する滑板２４を有している。滑り支承本体１７と滑面２０との間には、可撓性、伸縮性などを有するゴムなどにより構成された防塵カバー２７が設けられている。この実施の形態における専用部Ｃは、上方の滑座５Ｂと、滑り支承手段２と、支持座６と、により構成されている。支持座６と被支持体Ｂとの間にはパッド６０が介装される。
【００２５】
なお、免震ユニットＵ２は、上述した免震ユニットＵ１の容器１０に替えて、支持座６の高さが免震ユニットＵ１とほぼ同じ高さとなるように設定された滑り支承部材１３が設けられている。したがって、免震ユニットＵ２の共通部Ｄは、下方の滑座５Ａと、滑り支承部材１３と、により構成されている。
【００２６】
このように構成された免震装置では、支持する被支持体Ｂに応じて、複数の免震ユニットＵの共通部Ｄを支持体Ａの所定の箇所に配置することができ、また、所定の共通部Ｄの下方の滑座５Ａに専用部Ｃの上方の滑座５Ｂを重合・結合することがでる。そのため、支持する被支持体Ｂの形状毎に免震装置全体の設計や配置を変更する必要がなくなる。また、単一の共通部Ｄに対して複数の専用部Ｃを各種被支持体Ｂに応じて構成するだけで済むため、免震装置の製造コストが軽減される。
【００２７】
次に、本発明の免震装置のさらに別の実施の形態を、図１１〜図１３に基づいて説明する。なお、この実施の形態の説明では、上述した実施の形態と同様または相当する部分については同じ符号を付してその説明を省略し、異なる部分についてのみ説明することとする。
本発明のこの実施の形態における免震装置は、概略、被支持体Ｂを支持するときに所定の位置に位置決めする位置決め機構７を備えている。この実施の形態における位置決め機構７は、被支持体Ｂに設けられた係合孔７０と、この係合孔７０と対応するように支持座６に設けられた係合突起７１と、により構成されている場合で説明するが、本発明はこの実施の形態に限定されることなく、例えば被支持体Ｂに設けられた係合突起と、この係合突起と対応するように支持座６に設けられた係合孔と、などにより構成することもできる。
【００２８】
被支持体Ｂの支持座６と接する底面には係合孔７０が形成されている。係合孔７０の開口部には漸次拡径するテーパ部７０ａが形成されている。
支持座６の長さ方向の略中央の上面には、取付板７２がボルト７３によって取り付けられている。取付板７２にはロケート凹部７２ａとネジ孔７２ｂが形成されており、係合突起７１は、その基端面にロケート凸部７１ａが形成されると共に、全長にわたって貫通するボルト挿通孔７１ｂが形成されている。また、係合突起７１の先端部には漸次縮径するテーパ部７１ｃが形成されている。係合突起７１は、そのロケート凸部７１ａが取付板７２のロケート凹部７２ａに嵌合され、ボルト挿通孔７１ｂ内にボルト７４が挿通されて取付板７２のネジ孔７２ｂに螺合されることにより、取付板７２に対して着脱可能に取付られている。
さらに、この実施の形態では、滑座６がずれて移動しないように固定するために、滑座５の短辺に当接する固定座８が支持体Ａに設けられている。
【００２９】
以上のように構成された免震装置では、支持体Ａに設けられた固定座８によって滑座５がずれないように位置決め固定されている状態とされている。そして、金型などの被支持体Ｂを交換して免震装置に新たな被支持体Ｂを支持させる場合には、その被支持体Ｂをクレーンによって吊り下げるなどして係合孔７０が免震装置の係合突起７１に概ね一致するよう移動させてから下降させて支持座６上に載置する。このとき、係合突起７１に対する係合孔７０の位置が多少ずれている場合であっても、係合突起７１と係合孔７０の双方にテーパ部７１ｃ、７０ａが形成されているため、係合突起７１に対して係合孔７０が確実に嵌合されて、被支持体Ｂが免震装置に対して位置決めされることとなる。また、この係合突起７１に対して係合孔７０が嵌合されるのに伴って、滑材２１が滑面２０に対して摺動して、固定座８によって支持体Ａに固定された滑座５に対して支持座６が移動する場合であっても、減衰手段３によって被支持体Ｂが正しく位置するように支持座６が元の位置に復元される。なお、本発明の免震装置においては、係合突起７１と係合孔７０の双方にテーパ部７１ｃ、７０ａを必ずしも形成する必要はなく、テーパ部７１ｃ、７０ａのいずれか一方のみを形成することもできる。また、位置決め機構７は、図１０に示した実施の形態における免震装置にも適用することができる。
【００３０】
【発明の効果】
請求項１の発明によれば、一方の免震ユニットに、被支持体による荷重が各滑り支承にかかるようにレベルを調整するレベル調整機構を設けたという簡単な構成で、設置する支持体の場所や状態などに関わらず、一方の免震ユニットが他方の免震ユニット同じ姿勢となるように調整されるため、被支持体の荷重をすべての滑り支承手段が受けるよう精度良く容易に設置することができ、確実に所要の免震性能を得ることができる免震装置を提供することができる。
請求項２の発明によれば、請求項１に記載の発明において、レベル調整機構が、複数の容器と、複数の容器を連通する連通路と、容器および連通路に封入された流体と、を備えてなることにより、被支持体を適切に支持できるよう精度良く容易に設置することができる免震装置を具体化させることができる。
請求項３の発明によれば、請求項１または２に記載の発明において、摩耗検出手段を備えたことにより、手間やコストをかけることなく滑材の摩耗を検出することができ、したがって、滑座と滑材とがそれぞれ均一に荷重を受けて滑座と滑材とが確実に摺動させることができ、滑座に対して被支持体を支持している支持座を確実に相対的に移動させて所要の免震性能を維持することができる免震装置を提供することができる。
請求項４の発明によれば、請求項１〜３のいずれかに記載の発明において、複数の突起を有し、支持体との間に介在されるパッドを備えたことにより、設置する支持体の場所や状態などに関わらず、被支持体を適切に支持できるよう精度良く容易に設置することができる免震装置を提供することができる。
請求項５の発明によれば、請求項１〜４のいずれかに記載の発明において、複数の被支持体に応じてそれぞれ形成された専用部と、各専用部を共通で支持することができる共通部と、を備えたことにより、段替え時などに免震装置を容易に適切な位置に設置することができると共に、異なる形状の被支持体を支持することができる免震装置を安価に提供することができる。
請求項６の発明によれば、請求項１〜５のいずれかに記載の発明において、被支持体を支持するときに所定の位置に位置決めする位置決め機構を備えたことにより、被支持体を確実に所定の位置に位置決め支持することができる免震装置を提供することができる。
【図面の簡単な説明】
【図１】本発明の免震装置における免震ユニットの第１の実施の形態を示した断面図である。
【図２】図１の平面図である
【図３】滑面と滑材とを備えた滑り支承手段の拡大断面図である。
【図４】水平に吊られた被支持体に対して支持体に設置された免震ユニットが傾斜している場合を示す説明図である。
【図５】レベル調整機構によって被支持体を水平に保持することができるよう調整した状態を示す説明図である。
【図６】支持体と被支持体が水平方向に相対移動した状態を示す説明図である。
【図７】図６とは逆方向に相対移動した状態を示す説明図である。
【図８】本発明の免震装置における免震ユニットの第２の実施の形態を示した断面図である。
【図９】図８に示したパッドの底面図である。
【図１０】本発明の免震装置における免震ユニットの第３の実施の形態を示した断面図である。
【図１１】本発明の免震装置の第４の実施の形態を示した平面図である。
【図１２】図１１の正面図である。
【図１３】本発明の免震装置における免震ユニットの位置決め機構を示す拡大断面図である。
【符号の説明】
Ａ      支持体
Ｂ      被支持体
Ｃ      専用部
Ｄ      共通部
Ｕ１、Ｕ２      免震ユニット
１      レベル調整機構
２      滑り支承手段
３      減衰手段
５      滑座
６      支持座
７      位置決め機構
１０    容器
１１    連通路
１２    流体
２０    滑面
２１    滑材
５０    パッド
【図１】
2004293699.tif 000003
【図２】
2004293699.tif 000004
【図３】
2004293699.tif 000005
【図４】
2004293699.tif 000006
【図５】
2004293699.tif 000007
【図６】
2004293699.tif 000008
【図７】
2004293699.tif 000009
【図８】
2004293699.tif 000010
【図９】
2004293699.tif 000011
【図１０】
2004293699.tif 000012
【図１１】
2004293699.tif 000013
【図１２】
2004293699.tif 000014
【図１３】
2004293699.tif 000015